(57)【要約】      （修正有）【課題】ＣＤ、ＤＶＤなどの記録媒体を収容したレンタル用ケースを、その上端部を突出した状態で収容して陳列する陳列用カバーケースであって、陳列用カバーケースの上端開口から突出した上端部に位置するＣＤ、ＤＶＤなど記録面に光が当たらないようにした陳列用カバーケースを提供する。【解決手段】陳列用カバーケース１の背面板３を上端開口６から上方へ延ばして遮蔽板１０を形成し、該遮蔽板１０はレンタル用ケース内に収容されるＤＶＤの記録面に紫外線が当らないように保護し、しかもレンタル用ケースの上端部を摘んで抜取ることが出来るように遮蔽板１０に切欠き部１８を形成している。【選択図】図１
0003168346.tif 000002
【実用新案登録請求の範囲】
【請求項１】
ＣＤ、ＤＶＤなどの記録媒体を収容したレンタル用ケースを、その上端部を突出した状態で収容して陳列する陳列用カバーケースにおいて、該陳列用カバーケースの背面板を上端開口から上方へ延ばして遮蔽板を形成し、該遮蔽板はレンタル用ケース内に収容されるＤＶＤやＣＤ等の記録面に紫外線が当らないように保護し、しかもレンタル用ケースの上端部を摘んで抜取ることが出来るように該遮蔽板に切欠き部を形成したことを特徴とする陳列用カバーケース。
【請求項２】
上記遮蔽板の片側を切欠いて切欠き部を形成した請求項１記載の陳列用カバーケース。
【請求項３】
上記遮蔽板の中央を切欠いて切欠き部を形成した請求項１記載の陳列用カバーケース。
【考案の詳細な説明】
【技術分野】
【０００１】
本考案はＤＶＤ等のレンタル店において、ＣＤ，ＤＶＤなどの記録媒体が収容されるレンタル用ケースを、その上端部を突出して陳列棚に陳列すると共にＣＤやＤＶＤなどの記録面が紫外線で変質しないようにした陳列用カバーケースに関するものである。
【背景技術】
【０００２】
図５はビデオ等のレンタルショップにおいて、陳列棚に陳列されるレンタル用ケース（イ）の形態を示している。レンタル用ケース（イ）は一回り大きな陳列用カバーケース（ロ）に収容されると共に、上部開口から上端部（ヌ）が突出した状態で入れられ、多数のレンタル用ケース（イ）、（イ）・・・が陳列棚に整然と陳列される。該陳列用カバーケース（ロ）にはタイトル紙が巻き付けられて、レンタル用ケース内に収容されているＣＤやＤＶＤなどの内容がレンタルショップに訪れる客に分かるように成っている。
【０００３】
そこで、レンタルショップに訪れる客は陳列用カバーケース（ロ）に収容されているレンタル用ケース（イ）を抜き取って借りることが出来る。該レンタル用ケース（イ）の内部にはＣＤやＤＶＤ等の記録媒体が収容されているが、所定の手続を経ないでレンタルショップから持ち出すことが出来ないように、すなわち盗難を防止する為に、開かないようにロックされていると共に、タグシールが貼着されていて警報装置が作動する。
【０００４】
図６はレンタル用ケース（イ）を示しているが、レンタル用ケース（イ）は本体（ハ）と蓋体（ニ）を有し、蓋体（ニ）は継手（ホ）、（ホ）を介して開閉することが出来る。同図の蓋体（ニ）は開いた状態であり、そして、本体（ハ）の中央部に設けているヘソ（ヘ）にはＤＶＤ（ト）が嵌って取付けられている。そして、レンタル用ケース（イ）にはロックプレート（チ）が備わり、上記蓋体（ニ）を閉じてロックプレート（チ）を本体（ハ）の側片を切欠いて形成した開口（リ）から挿入するならばロックされる。
【０００５】
しかも、該ロックプレート（チ）は取付けたツメがレンタル用ケース（イ）に設けた係止片に係止することで、勝手に抜取ることが出来ない構造と成っている。該ロックプレート（チ）にはタグシール（図示なし）が貼着されており、そのまま、レンタル店から持ち出すことは出来ない。すなわち、レンタル店の出入口に設置してある防犯ゲートが作動して警報音が鳴る。
【０００６】
特開２００２−１５０４４４号に係る「盗難防止機能を備えたＤＶＤ等の貸出しケース」は、レンタルショップの棚に陳列したＤＶＤ等が盗難に遭わないように盗難防止機能を備えた貸出しケースであって、顧客がカウンターに持ち運んだ貸出しケースのロックを素早く解錠出来ると共に、複数枚のケースを重ねて同時に解錠可能なＤＶＤ等の貸出しケースである。そこで、このケースは本体ケースと蓋から成り、ケースの側面開口からロック板をロック板嵌入空間にスライドして嵌入することで蓋が開かない構造とし、その為にロック板の両挟持片を蓋と本体ケースに形成したガイド溝に嵌め、又ロック板の側縁にはケースから突出するツメを設け、基部を中心として撓み変形する板バネには本体ケースの係止部に係止するロックツメを設けた構造としている。
【０００７】
ところで、陳列用カバーケース（ロ）にはロックされた上記レンタル用ケース（イ）が収容されるが、その上端部（ヌ）は陳列用カバーケース（ロ）の開口から突出している。すなわち、客がレンタル用ケース（イ）を陳列用カバーケース（ロ）から抜取り易くする為に上端部（ヌ）を突出することが必要である。その為に、突出した上端部（ヌ）には光線が当たり、内部に収容されているＤＶＤやＣＤの記録面が紫外線によって焼けて変質し、その結果、再生時に支障を来たしてしまう。
【０００８】
直射日光（紫外線）による影響を直接受けるのは、ＤＶＤの記録面に有機色素を用いた素材が使われているためである。有機色素が日光に含まれる紫外線を吸収し、その強さによっては化学変化を起こして変質する。変質したＤＶＤディスクは、データの記録が出来なくなったり、また読み取れなくなってしまう。 日光に含まれる成分のうち、ＤＶＤディスクにダメージを与えるのは主に紫外線であることから、直射日光でなくとも、紫外線の影響下にＤＶＤディスクの記録面をさらすのは好ましくなく、一度受けた紫外線によるダメージは元に戻すことができない。
【０００９】
また、真夏の直射日光のように、非常に強力な紫外線でなくとも、レンタルショップの陳列棚に配列することで長時間継続して紫外線を受けると、ディスクが変質する可能性も高い。一方、ＤＶＤディスクに悪影響を与えるのは、紫外線だけでなく、ディスクの基板はプラスチック製のため、日光が当る熱によって変形する可能性があり、その為に紫外線の影響を受けにくいディスクであっても、直射日光は避ける方がよい。
【特許文献１】特開２００２−１５０４４４号に係る「盗難防止機能を備えたＤＶＤ等の貸出しケース」
【考案の開示】
【考案が解決しようとする課題】
【００１０】
このように、従来の陳列用カバーケースには上記のごとき問題がある。本考案が解決しようとする課題はこの問題点であり、上端部を突出した状態で陳列用カバーケースに収容して陳列する場合に、ＤＶＤやＣＤ等の記録面に光が直接当らないようにした遮蔽板を備えた陳列用カバーケースを提供する。
【課題を解決するための手段】
【００１１】
本考案に係る陳列用カバーケースはその上端が開口し、該開口からレンタル用ケースが入り、レンタル用ケースの上端部は開口から上方へ突出する。レンタルショップを訪れた客は陳列用カバーケースに収容されて陳列されているレンタル用ケースを抜き取って借りることが出来る。このレンタル方式は出願人が以前に取得した特許であり、今日のレンタル業界では周知の技術である。
【００１２】
ところで、本考案の陳列用カバーケースはその背面板を開口から上方へ延ばし、挿入したレンタル用ケースの背面側を被覆するようにしている。すなわち、背面板の上方に遮蔽板を起立している。しかし、開口から突出した上端部の背面側全体を被覆したのではレンタル用ケースを抜取り難くなる為に、上記遮蔽板の一部は切欠かれて指で上端部を摘んで抜取り易くしている。
【考案の効果】
【００１３】
本考案の陳列用カバーケースは背面側に開口から上方へ遮蔽板を立ち上げている。従って、該陳列用カバーケースに収容されているレンタル用ケース内のＤＶＤやＣＤ等の記録面に光が当らないようになり、紫外線による記録面の変質を防止することが出来る。そして、該開口から起立する遮蔽板は一部が切欠かれている為に、レンタル用ケースの抜取りに支障を来たすことはない。ここで、レンタル用ケースに収容されているＤＶＤやＣＤ等の記録面は、上記遮蔽板側に位置するように陳列用カバーケースに挿入される。
【図面の簡単な説明】
【００１４】
【図１】本考案に係る陳列用カバーケースの実施例。
【図２】陳列用カバーケースの展開図。
【図３】陳列用カバーケースにレンタル用ケースの上端部を開口から突出して挿入している場合。
【図４】レンタル用ケースを挿入した陳列用カバーケースの他の実施例。
【図５】従来の陳列用カバーケースに上端部を突出して収容されているレンタル用ケース。
【図６】従来のレンタル用ケースの蓋体が開いている場合。
【考案を実施するための形態】
【００１５】
図１は本発明に係る陳列用カバーケース１の外観を示す実施例である。この陳列用カバーケース１は厚さ寸法を比較的小さくした直方体のケースであり、その上端は開口している。この陳列用カバーケース１は正面板２、背面板３、両側板４ａ，４ｂ、及び底板５を有し、上端に設けている開口６からレンタル用ケースが挿入される。
【００１６】
この陳列用カバーケース１の基本形態は従来のケースと共通し、片側側板４ｂを開くことが出来、他方の側板４ａを基軸として開いて展開するならば全体は板状体と成る。すなわち、図２は陳列用カバーケース１の展開図を表しているが、正面板２、背面板３、及び一方の側板４ａは一平面状に連続して延び、正面板２の縁には側板片７ａと底板片８ａが垂直に起立し、同じく背面板３の縁には側板片７ｂと底板片８ｂが垂直に起立している。樹脂製の陳列用カバーケース１は同図に示しているように展開した状態で射出成形され、これを組み立てて前記図１の陳列用カバーケース１として構成される。
【００１７】
図２に示す板状体が折れ曲がって陳列用カバーケース１に組立出来るように、正面板２と側板４ａの境界、並びに背面板３と側板４ａの境界は板厚を薄くして形成した継手９ａ，９ｂを有している。  ところで、本考案の陳列用カバーケースには遮蔽板１０が背面板上方へ延びている。すなわち、上端開口６から上方へ遮蔽板１０を起立している。ただし、この遮蔽板１０は背面板３の全幅にわたって均一に起立しているのではなく、少なくとも一部が切欠かれている。この切欠き部１８はレンタル用ケース内に収容されているＤＶＤやＣＤ等の記録面に光が当らない位置に形成されている。
【００１８】
図３はこの陳列用カバーケース１にレンタル用ケース１１を挿入した場合を示している。レンタル用ケース１１は陳列用カバーケース１の上端開口６から挿入されて、その上端部１２は開口６から上方へ突出している。レンタルショップを訪れた客は、陳列用カバーケース１の表面に取付けてあるタイトル紙を見て、好みのＤＶＤやＣＤ等を借りることが出来る訳で、客は開口６から突出している上端部１２を摘んで抜取ることが出来る。
【００１９】
そして、抜取ったレンタル用ケース内にはタイトル紙に表示している内容のＤＶＤやＣＤ等が収容されており、カウンターで所定の手続を経て借りることが出来る。レンタル用ケース１１には図３にて点線で示しているロックプレート１３が挿着されていて、勝手に開くことが出来ない構造と成っている。所定の手続を経ないでそのまま店から持ち出そうとするならば、ロックプレート１３に貼着されているタグシール（図示なし）が入口に設置してある防犯ゲートに反応して警報音を発することが出来る。
【００２０】
ところで、上記遮蔽板１０はレンタル用ケース内に収容されているＤＶＤやＣＤ等の記録面に光が当らないようにすることが出来る。すなわち、レンタル用ケース１１を陳列用カバーケース１に挿入した場合、上端部１２は開口６から突出して記録面に光が当るが、本発明では少なくとも記録面だけは遮蔽することが出来る遮蔽板１０を有している。
【００２１】
図３は背面板３の側から見た陳列用カバーケース１にレンタル用ケース１１を挿入している場合であるが、レンタル用ケース１１に収容されているＤＶＤ１４の記録面１５は陳列用カバーケース１と遮蔽板１０にて被覆されている。すなわち、陳列用カバーケース１にレンタル用ケース１１が挿入されることでＤＶＤ１４の記録面は光から遮断され、しかも開口６から突出している上端部１２に位置するＤＶＤ１４の記録面１５は遮蔽板１０によって遮蔽される。
【００２２】
上記遮蔽板１０は背面板３の全幅ではなく、背面側の左側が切欠かれ、レンタル用ケース１１を抜取る場合にはこの部分を摘むことが出来る。切欠かれている部分はＤＶＤ１４が存在しない領域であり、遮蔽板１０がなくても紫外線で該記録面１５が変質することはない。ここで、遮蔽板１０の切欠き線１６はＤＶＤ１４の外周になじむように滑らかな円弧を成しているが、傾斜した直線としても構わない。
【００２３】
図４は陳列用カバーケース１の上端部を示す他の実施例である。同図に示すレンタル用ケース１１では、収容されているＤＶＤ１４と上端１７との間にある程度の領域が存在し、その為に遮蔽板１０の中央部を切欠いている。該切欠き部１８は半円形を成し、レンタル用ケース１１内のＤＶＤ１４に達していない範囲内に設けられており、該遮蔽板１０にて開口６から突出しているＤＶＤ１４の記録面１５を被覆することが出来る。
【００２４】
そして、該切欠き部１８にて借りたいレンタル用ケース１１を陳列用カバーケース１から抜取ることも可能と成る。ところで、レンタル用ケース１１の具体的な構造は限定せず、また盗難防止用のロックプレート１３の形態並びにロック機構も自由である。
【符号の説明】
【００２５】
１  陳列用カバーケース
２  正面板
３  背面板
４  側板
５  底板
６  開口
７  側板片
８  底板片
９  継手
10  遮蔽板
11  レンタル用ケース
12  上端部
13  ロックプレート
14  ＤＶＤ
15  記録面
16  切欠き線
17  上端
18  切欠き部
【図１】
0003168346.tif 000003
【図２】
0003168346.tif 000004
【図３】
0003168346.tif 000005
【図４】
0003168346.tif 000006
【図５】
0003168346.tif 000007
【図６】
0003168346.tif 000008